(57)【要約】互いに仕様が異なる複数のユニット各々に、各ユニットの仕様を関連付けたユニット仕様情報を記憶するユニット仕様情報記憶部（１０）と、複数のユニット各々の構成部品を示すユニット構成部品情報を記憶するユニット構成部品情報記憶部（１１）と、第１の製品に要求される仕様である要求仕様の入力を受付ける要求仕様受付部（１２）と、ユニット仕様情報を参照し、要求仕様を関連付けられたユニットを抽出するユニット抽出部（１３）と、ユニット構成部品情報を参照し、抽出されたユニットの構成部品を特定する構成部品特定部（１４）と、特定された構成部品を、第１の製品の構成部品として記憶する部品情報記憶部（１５）と、を有する情報管理装置。
2013094155.tif 000002
【特許請求の範囲】
【請求項１】
ある製品種に組み込まれるモジュールのバリエーションとして用意されていて、互いに仕様が異なる複数のユニット各々に、各ユニットの前記仕様を関連付けたユニット仕様情報を記憶するユニット仕様情報記憶手段と、
前記複数のユニット各々の構成部品を示すユニット構成部品情報を記憶するユニット構成部品情報記憶手段と、
前記製品種に含まれる第１の製品に要求される前記仕様である要求仕様の入力を受付ける要求仕様受付手段と、
前記ユニット仕様情報を参照し、前記要求仕様を関連付けられた前記ユニットを抽出するユニット抽出手段と、
前記ユニット構成部品情報を参照し、前記抽出されたユニットの構成部品を特定する構成部品特定手段と、
前記構成部品特定手段が特定した前記構成部品を、前記第１の製品の構成部品として記憶する部品情報記憶手段と、
を有する情報管理装置。
【請求項２】
請求項１に記載の情報管理装置において、
前記ユニット抽出手段は、前記要求仕様を関連付けられている前記ユニットが複数存在する場合、当該複数の前記ユニットをユーザに通知するとともに、その中の１つを選択する入力を受付け、選択された前記ユニットのみを抽出する情報管理装置。
【請求項３】
請求項１または２に記載の情報管理装置において、
前記ユニット仕様情報は、前記複数のユニットの中の少なくとも一部に複数項目の仕様を関連付けることができ、
前記要求仕様受付手段は、１つの前記項目に関する前記要求仕様の入力を受付けると、前記ユニット仕様情報を参照し、入力を受付けた前記要求仕様に関連付けられている１つまたは複数の前記ユニットを特定し、特定した前記ユニットにその他の項目の前記仕様が関連付けられている場合には、その後、前記その他の項目に関する要求仕様の入力は、特定した前記ユニットに関連付けられている前記仕様のみを許可する情報管理装置。
【請求項４】
請求項１または２に記載の情報管理装置において、
前記ユニット仕様情報記憶手段は、複数種類の前記モジュールに関する前記ユニット仕様情報を記憶し、
前記要求仕様受付手段が、第１の種類の前記モジュールにおいて１つも前記ユニットを抽出していない場合、その旨をユーザに通知する通知手段をさらに有する情報管理装置。
【請求項５】
コンピュータを、
ある製品種に組み込まれるモジュールのバリエーションとして用意されていて、互いに仕様が異なる複数のユニット各々に、各ユニットの前記仕様を関連付けたユニット仕様情報を記憶するユニット仕様情報記憶手段、
前記複数のユニット各々の構成部品を示すユニット構成部品情報を記憶するユニット構成部品情報記憶手段、
前記製品種に含まれる第１の製品に要求される前記仕様である要求仕様の入力を受付ける要求仕様受付手段、
前記ユニット仕様情報を参照し、前記要求仕様を関連付けられた前記ユニットを抽出するユニット抽出手段、
前記ユニット構成部品情報を参照し、前記抽出されたユニットの構成部品を特定する構成部品特定手段、
前記構成部品特定手段が特定した前記構成部品を、前記第１の製品の構成部品として記憶する部品情報記憶手段、
として機能させるためのプログラム。
【請求項６】
コンピュータに、ある製品種に組み込まれるモジュールのバリエーションとして用意されていて、互いに仕様が異なる複数のユニット各々に、各ユニットの前記仕様を関連付けたユニット仕様情報、及び、前記複数のユニット各々の構成部品を示すユニット構成部品情報を予め記憶させておき、
前記製品種に含まれる第１の製品に要求される前記仕様である要求仕様の入力を受付ける要求仕様受付ステップと、
前記ユニット仕様情報を参照し、前記要求仕様を関連付けられた前記ユニットを抽出するユニット抽出ステップと、
前記ユニット構成部品情報を参照し、前記抽出されたユニットの構成部品を特定する構成部品特定ステップと、
前記構成部品特定ステップにおいて特定した前記構成部品を、前記第１の製品の構成部品として記憶する部品情報記憶ステップと、
を実行させる情報管理方法。
【発明の詳細な説明】
【技術分野】
【０００１】
本発明は、情報管理装置、情報管理方法およびプログラムに関する。
【背景技術】
【０００２】
非特許文献１に、ＱＦＤ（品質機能展開）の概説が開示されている。ＱＦＤは、新製品の効率的な開発を意図して考え出された方法論である。当該方法によれば、まず、アンケート調査等の手法を用いて顧客の声を収集後、収集したデータを分析して、新製品に要求される品質（要求品質）を抽出する。要求品質は、例えば製品がライターである場合、「確実に着火する」、「使いやすい」など、顧客目線で表現したものとすることができる。【０００３】
その後、要求品質を品質要素に変換する。具体的には、要求品質に基づいて品質要素を抽出するとともに、要求品質と品質要素の依存関係をまとめた２次元マトリクス表（品質表）を作成する。品質要素は、「耐久性」、「着火性」など、技術者の目線で表現したものとすることができる。すなわち、要求品質は市場の世界、品質要素は技術の世界であり、要求品質から品質要素への変換は、市場の世界を技術の世界に変換していると考えることができる。【０００４】
その後、対象製品が具備すべき機能を展開した機能展開表を作成し、さらに、機能を具現化するメカニズムを展開して機構展開表を作成し、次いで、機構を具体的な部品に繋げるためのユニット・部品展開表などに展開していく。【０００５】
また、特許文献１には、要求品質と品質特性の対応関係、要求品質と部品の対応関係、及び、品質特性と部品の対応関係をまとめた品質表が開示されている。
【先行技術文献】
【特許文献】
【０００６】
【特許文献１】特開２０１０−３３５３０号公報
【非特許文献】
【０００７】
【非特許文献１】大藤正、"ＱＦＤ（品質機能展開）の概説"、［online］、２０００年１月１７日、［２０１１年１２月２２日検索］、インターネット<URL:http://techon.nikkeibp.co.jp/free/nmc/kiji/triz/kiji/kiji1/kiji001.html>
【発明の概要】
【発明が解決しようとする課題】
【０００８】
要求品質等に基づいて製品の仕様を決定した後に、その製品を構成する構成部品を決定する作業を援助するシステムが存在しなかった。そこで、本発明では、決定した製品の仕様に基づいて、その製品を構成する構成部品を決定する作業を援助する装置を提供することを課題とする。
【課題を解決するための手段】
【０００９】
本発明によれば、ある製品種に組み込まれるモジュールのバリエーションとして用意されていて、互いに仕様が異なる複数のユニット各々に、各ユニットの前記仕様を関連付けたユニット仕様情報を記憶するユニット仕様情報記憶手段と、前記複数のユニット各々の構成部品を示すユニット構成部品情報を記憶するユニット構成部品情報記憶手段と、前記製品種に含まれる第１の製品に要求される前記仕様である要求仕様の入力を受付ける要求仕様受付手段と、前記ユニット仕様情報を参照し、前記要求仕様を関連付けられた前記ユニットを抽出するユニット抽出手段と、前記ユニット構成部品情報を参照し、前記抽出されたユニットの構成部品を特定する構成部品特定手段と、前記構成部品特定手段が特定した前記構成部品を、前記第１の製品の構成部品として記憶する部品情報記憶手段と、を有する情報管理装置が提供される。【００１０】
また、本発明によれば、コンピュータを、ある製品種に組み込まれるモジュールのバリエーションとして用意されていて、互いに仕様が異なる複数のユニット各々に、各ユニットの前記仕様を関連付けたユニット仕様情報を記憶するユニット仕様情報記憶手段、前記複数のユニット各々の構成部品を示すユニット構成部品情報を記憶するユニット構成部品情報記憶手段、前記製品種に含まれる第１の製品に要求される前記仕様である要求仕様の入力を受付ける要求仕様受付手段、前記ユニット仕様情報を参照し、前記要求仕様を関連付けられた前記ユニットを抽出するユニット抽出手段、前記ユニット構成部品情報を参照し、前記抽出されたユニットの構成部品を特定する構成部品特定手段、前記構成部品特定手段が特定した前記構成部品を、前記第１の製品の構成部品として記憶する部品情報記憶手段、として機能させるためのプログラムが提供される。【００１１】
また、本発明によれば、コンピュータに、ある製品種に組み込まれるモジュールのバリエーションとして用意されていて、互いに仕様が異なる複数のユニット各々に、各ユニットの前記仕様を関連付けたユニット仕様情報、及び、前記複数のユニット各々の構成部品を示すユニット構成部品情報を予め記憶させておき、前記製品種に含まれる第１の製品に要求される前記仕様である要求仕様の入力を受付ける要求仕様受付ステップと、前記ユニット仕様情報を参照し、前記要求仕様を関連付けられた前記ユニットを抽出するユニット抽出ステップと、前記ユニット構成部品情報を参照し、前記抽出されたユニットの構成部品を特定する構成部品特定ステップと、前記構成部品特定手段が特定した前記構成部品を、前記第１の製品の構成部品として記憶する部品情報記憶ステップと、を実行させる情報管理方法が提供される。
【発明の効果】
【００１２】
本発明によれば、決定した製品の仕様に基づいて、その製品を構成する構成部品を決定する作業を援助する装置が実現される。
【図面の簡単な説明】
【００１３】
上述した目的、および、その他の目的、特徴および利点は、以下に述べる好適な実施の形態、および、それに付随する以下の図面によってさらに明らかになる。
【図１】本実施形態の情報管理装置の機能ブロック図の一例である。
【図２】ユニット仕様情報の一例である。
【図３】仕様定義の一例である。
【図４】モジュール定義の一例である。
【図５】ユニット仕様情報を作成するためのインタフェイスの一例である。
【図６】ユニット構成部品情報の一例である。
【図７】要求仕様の入力を受付けるインタフェイスの一例である。
【図８】部品情報記憶部が記憶する情報の一例である。
【図９】本実施形態の情報管理方法の処理の流れの一例を示すフローチャートである。
【発明を実施するための形態】
【００１４】
以下、本発明の実施の形態について図面を用いて説明する。
【００１５】
なお、本実施形態のシステムは、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００１６】
また、本実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００１７】
図１に、本実施形態の情報管理装置１の機能ブロック図の一例を示す。図示するように、情報管理装置１は、ユニット仕様情報記憶部１０と、ユニット構成部品情報記憶部１１と、要求仕様受付部１２と、ユニット抽出部１３と、構成部品特定部１４と、部品情報記憶部１５と、を有する。なお、情報管理装置１は、通知部１６をさらに有してもよい。以下、各部について説明する。
【００１８】
ユニット仕様情報記憶部１０は、複数のユニット各々に、各ユニットの仕様を関連付けたユニット仕様情報を記憶する。複数のユニットは、ある製品種に組み込まれるモジュールのバリエーションとして用意されていて、互いに仕様が異なる。
【００１９】
図２に、ユニット仕様情報の一例を示す。当該ユニット仕様情報は、複写機、プリンター、イメージスキャナ、ファクシミリ等、複数の機能を有する複合機Ｘ（以下、単に「複合機Ｘ」）に関する。当該ユニット仕様情報には、複合機Ｘに組み込まれるモジュールとして、インクジェット、給紙トレイ、フィニッシャー等が、行方向に列記されている。そして、モジュール毎に、互いに仕様が異なる複数のユニットのユニット番号が関連付けて列記されている。例えば、「インクジェット」（モジュール）には、「Ｇ１３−３０２４」、「Ｇ１３−４１２９」及び「Ｇ１３−５１０５」等のユニット番号が関連付けて列記されている。
【００２０】
また、図２に示すユニット仕様情報には、複合機Ｘに関連する複数の仕様が列方向に列記されている。そして、複合機Ｘが取り得る値を各仕様に関連付けて列記している。例えば、「カラー対応」（仕様）には、「モノクロ」及び「フルカラー」の値が関連付けて列記されている。
【００２１】
そして、各「ユニット番号」と各「（仕様の）値」の交点のマス目における「○」により、各「ユニット番号」に各「（仕様の）値」を関連付けている。例えば、図２に示すユニット仕様情報によれば、インクジェット（モジュール）の１つのユニット「Ｇ１３−３０２４（ユニット番号）」の仕様は、カラー対応「モノクロ」であり、書き込み解像度「１２００ｄｐｉ」であることが分かる。同様に、インクジェット（モジュール）の１つのユニット「Ｇ１３−４１２９（ユニット番号）」の仕様は、カラー対応「フルカラー」であり、書き込み解像度「１２００ｄｐｉ」であることが分かる。また、図２に示すユニット仕様情報によれば、インクジェット（モジュール）に関連付けられている複数のユニットは、カラー対応及び書き込み解像度の内の少なくとも一方の仕様が互いに異なっていることが分かる。
【００２２】
図２に示すようなユニット仕様情報は設計者があらかじめ作成し、情報管理装置１に記憶させておくことができる。設計者がユニット仕様情報を作成する手段は特段制限されないが、以下、一例を説明する。
【００２３】
まず、設計者は、ユニット仕様情報を作成する製品種の仕様を定義する。図３は、製品種「複合機Ｘ」の仕様を定義し、ツリー状に表示したものである。図３に示す仕様定義によれば、複合機Ｘにおいては、「カラー対応」、「書き込み解像度」、「用紙サイズ」、「給紙」等の仕様を検討・決定する必要があること、及び、各仕様の取り得る値が分かる。
【００２４】
また、設計者は、ユニット仕様情報を作成する製品種に組み込むモジュールを決定するとともに、各モジュールのバリエーションとして用意されている１つ又は複数のユニットを整理する。図４は、製品種「複合機Ｘ」に組み込むモジュール、及び、各モジュールのバリエーションとして用意されているユニットのユニット番号をツリー状に表示したものである。ここで、「用意されているユニット」とは、既に設計済みであり、少なくとも構成部品が決定しているユニットを意味する。
【００２５】
なお、ユニット仕様情報を作成する製品種の仕様、及び、当該製品種に組み込むモジュールを決定する手段は特段制限されず、例えば、非特許文献１に記載されたＱＦＤの手法を利用して、要求品質を仕様に変換、また、仕様をモジュールに変換することで決定してもよい。または、過去に行った同種製品の開発事例を参考にして、仕様及びモジュールを決定してもよい。
【００２６】
仕様定義（図３参照）及びモジュール定義（図４参照）を行った後、設計者は、図５に示すようなインタフェイスにおいて、所定の入力を行い、ユニット仕様情報を完成させる。当該インタフェイスは、例えば、本実施形態の情報管理装置１が表示してもよい。以下では、本実施形態の情報管理装置１が図５に示すインタフェイスを表示するものとする。
【００２７】
まず、設計者は、当該インタフェイスの領域Ａにおいて、上記仕様定義（図３参照）を入力する。領域Ａは、ツリー状に仕様定義を入力するためのインタフェイスである。当該ツリーは、製品種の名称（例：「複合機」）を最上位とし、その直下の層に「仕様」、その直下の層に「（取り得る）値」が位置するように定義されている。設計者は、必要に応じて枝を追加しながら、「複合機Ｘ」の文言の直下の層に「仕様」を入力し、各仕様の直下の層に「値」を入力していく。なお、図５の領域Ａには、図３と同様の仕様定義が入力されている。
【００２８】
また、設計者は、図５に示すインタフェイスの領域Ｂにおいて、上記モジュール定義（図４参照）を入力する。領域Ｂは、ツリー状にモジュール定義を入力するためのインタフェイスである。当該ツリーは、製品種の名称（例：「複合機」）を最上位とし、その直下の層に「モジュール」、その直下の層に「ユニット番号」が位置するように定義されている。設計者は、必要に応じて枝を追加しながら、「複合機Ｘ」の文言の直下の層に「モジュール」を入力し、各モジュールの直下の層に「ユニット番号」を入力していく。なお、図５の領域Ｂには、図４と同様のモジュール定義が入力されている。
【００２９】
情報管理装置１は、領域Ａ及びＢの表示内容に基づいて、領域Ｃに表示されている２次元マトリクス表の表示内容を更新する。具体的には、情報管理装置１は、領域Ａに表示されている複数の仕様及び各仕様がとり得る値を、２次元マトリクス表の予め定められた所定位置に、列方向に並べて列記する。また、情報管理装置１は、領域Ｂに表示されている複数のモジュール及び各モジュールのユニット番号を、２次元マトリクス表の予め定められた所定位置に、行方向に並べて列記する。そして、情報管理装置１は、設計者の入力操作に起因して領域Ａ及びＢの表示内容が変更すると、変更後の内容と一致するように、２次元マトリクス表の表示内容を変更する。
【００３０】
また、情報管理装置１は、上述のような２次元マトリクス表において、各「ユニット番号」と各「（仕様の）値」の交点のマス目に対する「○」の入力を受付ける。設計者は、領域Ｃに表示されている２次元マトリクス表の行方向の要素（ユニット番号）、及び、列方向の要素（仕様の値）を確認しながら、必要に応じて、交点のマス目に「○」を入力していく。例えば、インクジェット（モジュール）の１つのユニット「Ｇ１３−３０２４（ユニット番号）」の仕様は、カラー対応「モノクロ」であり、書き込み解像度「１２００ｄｐｉ」であるとする。かかる場合、設計者は、２次元マトリクス表における「Ｇ１３−３０２４（ユニット番号）」と、「モノクロ（仕様の値）」及び「１２００ｄｐｉ（仕様の値）」各々との交点のマス目に、「○」を入力する。このように、設計者は、複数のユニットの中の少なくとも一部に、複数項目の仕様（の値）を関連付けることができる。
【００３１】
ユニット仕様情報記憶部１０は、例えばこのようにして作成されたユニット仕様情報を、各製品種に関連付けて記憶する。例えば、ユニット仕様情報記憶部１０は、図５の領域Ｃに示すユニット仕様情報を、複合機Ｘ（製品種）に関連付けて記憶する。なお、ユニット仕様情報記憶部１０は、複数のユニット仕様情報を、複数の製品種各々に関連付けて記憶することもできる。
【００３２】
図１に戻り、ユニット構成部品情報記憶部１１は、複数のユニット各々の構成部品を示すユニット構成部品情報を記憶する。図６に、ユニット構成部品情報の一例を示す。図６は、ユニット番号「Ｇ１３−３０２４」のユニットを構成する構成部品の構成部品番号をツリー状に表示している。ユニット構成部品情報記憶部１１は、ある製品種に組み込むモジュールのバリエーションとして用意されている複数のユニット各々のユニット構成部品情報を記憶する。
【００３３】
図１に戻り、要求仕様受付部１２は、開発する製品（第１の製品）に要求される仕様である要求仕様の入力を受付ける。要求仕様は、各仕様の具体的な値を特定した情報である。例えば、要求仕様は、「カラー対応：フルカラー」、「用紙サイズ：Ａ３〜Ｂ６」、「書込解像度：１２００ｄｐｉ」などである。なお、要求仕様受付部１２は開発する製品（第１の製品）の製品種の入力も受付けることができる。要求仕様受付部１２がこのような入力を受付ける手段は特段制限されないが、以下、一例を説明する。
【００３４】
まず、要求仕様受付部１２は、開発する製品（第１の製品）の製品種の入力を受付ける。例えば、要求仕様受付部１２は、ユニット仕様情報記憶部１０がユニット仕様情報を記憶している製品種をリスト表示し、その中から１つを選択する入力を受付けてもよい。例えば、ドロップダウンリストやラジオボタンなどを利用したインタフェイスを介して、１つの製品種を選択する入力を受付けてもよい。ここでは、要求仕様受付部１２は、複合機Ｘの選択を受付けたとする。
【００３５】
その後、要求仕様受付部１２は、図７に示すような、選択を受付けた製品種用のインタフェイスを表示し、要求仕様の入力を受付ける。図７に示すインタフェイスは、複合機Ｘの仕様として定義された（図５の領域Ａ参照）、「カラー対応」、「用紙サイズ」、「書込解像度」、「給紙」各々に関連付けて、ドロップダウンリストにより１つの値が選択可能になっている。そして、すべての仕様の値を選択後、決定ボタンをクリックすると、要求仕様受付部１２は、その時点においてドロップダウンリストで選択されている値を、第１の製品の要求仕様として受付ける。例えば、図７に示す状態で決定ボタンのクリックを受付けると、要求仕様受付部１２は、「カラー対応：モノクロ」、「用紙サイズ：Ａ１〜Ｂ６」、「書込解像度：１２００ｄｐｉ」、「給紙：１０００枚」を、第１の製品の要求仕様として受付ける。図７に示すインタフェイスに表示される複数の仕様、及び、ドロップダウンリストに表示される値は、ユニット仕様情報記憶部１０が記憶するユニット仕様情報から抽出してもよい。
【００３６】
なお、要求仕様受付部１２は、以下のように構成することもできる。まず、要求仕様受付部１２は、１つの仕様（項目）に関する要求仕様の入力を受付けると、ユニット仕様情報を参照し、入力を受付けた要求仕様に関連付けられている１つまたは複数のユニットを特定する。そして、特定したユニットにその他の項目の仕様が関連付けられている場合には、その後、その他の項目に関する要求仕様の入力として、特定したユニットに関連付けられている仕様のみを許可する。以下、図７に示すようなインタフェイスを利用する場合を例にとり、当該構成の詳細を説明する。
【００３７】
まず、図７に示すインタフェイスのすべてのドロップダウンリストにおける初期値を「空値」としておく。すなわち、最初は、いずれの要求仕様も選択されていない。そして、要求仕様受付部１２は、１つのドロップダウンリストから１つの要求仕様を選択する入力を受付けると、その仕様及び値（要求仕様）を特定する。例えば、カラー対応（仕様）において「フルカラー」（要求仕様）を選択する入力を受付けたとする。すると、要求仕様受付部１２は、ユニット仕様情報記憶部１０が記憶するユニット仕様情報（図２参照）を参照し、入力を受付けた要求仕様に関連付けられている１つまたは複数のユニットを特定する。ここでは、要求仕様受付部１２は、「フルカラー」（要求仕様）を関連付けられている「Ｇ１３−４１２９（ユニット番号）」等を特定する。
【００３８】
その後、要求仕様受付部１２は、特定したユニットにその他の項目の仕様が関連付けられているか判断する。ここでは、要求仕様受付部１２は、「Ｇ１３−４１２９（ユニット番号）」にその他の仕様（書込解像度）が関連付けられていると判断する。すると、要求仕様受付部１２は、その後、その他の仕様項目に関する要求仕様の入力は、特定したユニットに関連付けられている仕様のみを許可する。すなわち、ここでは、以降、要求仕様受付部１２は、図７に示すインタフェイスの書込解像度に関連付けられたドロップダウンリストにおいて、「１２００ｄｐｉ」のみをリスト表示し、これのみの選択を許可する。
【００３９】
要求仕様受付部１２をこのように構成すれば、設計者から入力を受付ける複数の要求仕様の組み合わせとして、用意されている複数のユニットの中のいずれかが満たす組み合わせの選択入力のみを受付けることが可能となる。
【００４０】
なお、図７に示すインタフェイスはあくまで一例であり、要求仕様受付部１２が要求仕様を受付ける手段はこれに限定されない。
【００４１】
図１に戻り、ユニット抽出部１３は、ユニット仕様情報（図２参照）を参照し、要求仕様受付部１２が受付けた要求仕様を関連付けられているユニット（ユニット番号）を抽出する。なお、ユニット仕様情報記憶部１０が複数のユニット仕様情報を記憶している場合、ユニット抽出部１３は、要求仕様受付部１２が受付けた要求仕様がどの製品種の要求仕様かを特定し、特定した製品種に関連付けられているユニット仕様情報を利用して、ユニットの抽出を行う。
【００４２】
なお、ユニット抽出部１３は、各ユニットに関係する仕様すべての要求仕様を満たすユニットを、各モジュールから抽出する。例えば、図２に示す例の場合、インクジェット（モジュール）のユニットに関係する仕様は、「カラー対応」及び「書込解像度」である。ユニット抽出部１３は、各ユニットが関係する仕様を示す情報を予め保持しておき、当該情報を利用して、各ユニットに関係する仕様を特定してもよい。
【００４３】
例えば、要求仕様受付部１２が、図７に示すように、「カラー対応：モノクロ」、「用紙サイズ：Ａ１〜Ｂ６」、「書込解像度：１２００ｄｐｉ」、「給紙：１０００枚」を、第１の製品の要求仕様として受付けたとする。
【００４４】
すると、ユニット抽出部１３は図２に示すユニット仕様情報を参照し、インクジェット（モジュール）のユニットの中から、「カラー対応：モノクロ」及び「書込解像度：１２００ｄｐｉ」を関連付けられている「Ｇ１３−３０２４（ユニット番号）」を抽出する。また、ユニット抽出部１３は、給紙トレイ（モジュール）のユニットの中から、「用紙サイズ：Ａ１〜Ｂ６」及び「給紙：１０００枚」を関連付けられている「Ｐ０２−０２２３（ユニット番号）」を抽出する。同様にして、ユニット抽出部１３は、複合機Ｘに組み込むと定義されている複数のモジュール各々から、第１の製品の要求仕様を満たすユニットを抽出する。
【００４５】
なお、ユニット抽出部１３は、要求仕様を関連付けられているユニットが１つのモジュールにおいて複数存在する場合、すなわち、要求仕様を満たすユニットが１つのモジュールにおいて複数存在する場合、通知部１６を制御して、その旨を設計者に通知してもよい。そして、要求仕様を満たす複数のユニットを設計者に向けて提示するとともに、その中の１つを選択する入力を受付け、選択されたユニットのみを、そのモジュールのユニットとして抽出してもよい。
【００４６】
また、ユニット抽出部１３は、要求仕様を関連付けられているユニットが１つのモジュールにおいて１つも存在しない場合、すなわち、要求仕様を満たすユニットが１つのモジュールにおいて１つも存在しない場合、通知部１６を制御して、その旨を設計者に通知してもよい。当該通知を受けた設計者は、例えば、新たに要求仕様を満たすユニットを設計する等の対応をとることができる。
【００４７】
なお、上記通知は、ディスプレイ、スピーカ、メール、印刷装置等のあらゆる出力装置を利用して実現することができる。
【００４８】
図１に戻り、構成部品特定部１４は、ユニット構成部品情報記憶部１１が記憶するユニット構成部品情報（図６参照）を参照し、ユニット抽出部１３によって抽出されたユニットの構成部品を特定する。
【００４９】
部品情報記憶部１５は、構成部品特定部１４が特定した構成部品を、第１の製品の構成部品として記憶する。例えば、部品情報記憶部１５は、図８の右側に示すような部品情報を記憶してもよい。当該部品情報はツリー状であり、第１の製品の製品番号を最上位とし、その直下の層にユニット抽出部１３が抽出したユニット番号が記載され、その直下の層に、構成部品特定部１４が特定した各ユニットの構成部品の番号（構成部品番号）が記載されている。
【００５０】
本実施形態の情報管理装置は、例えば、以下のプログラムをコンピュータにインストールすることで実現することができる。
【００５１】
コンピュータを、
ある製品種に組み込まれるモジュールのバリエーションとして用意されていて、互いに仕様が異なる複数のユニット各々に、各ユニットの前記仕様を関連付けたユニット仕様情報を記憶するユニット仕様情報記憶手段、
前記複数のユニット各々の構成部品を示すユニット構成部品情報を記憶するユニット構成部品情報記憶手段、
前記製品種に含まれる第１の製品に要求される前記仕様である要求仕様の入力を受付ける要求仕様受付手段、
前記ユニット仕様情報を参照し、前記要求仕様を関連付けられた前記ユニットを抽出するユニット抽出手段、
前記ユニット構成部品情報を参照し、前記抽出されたユニットの構成部品を特定する構成部品特定手段、
前記構成部品特定手段が特定した前記構成部品を、前記第１の製品の構成部品として記憶する部品情報記憶手段、
として機能させるためのプログラム。
【００５２】
次に、本実施形態の情報管理方法の処理の流れの一例を、図９に示すフローチャート及び図１の機能ブロック図を用いて説明する。
【００５３】
前提として、図１に示す情報管理装置１のユニット仕様情報記憶部１０は、複数の製品種各々に関連付けて、ユニット仕様情報（図２参照）を記憶している。また、ユニット構成部品情報記憶部１１は、上記複数の製品種に組み込むモジュールのバリエーションとして用意されていて、互いに仕様が異なる複数のユニット各々の構成部品を示すユニット構成部品情報（図６参照）を記憶している。これらの情報は、予め、設計者が、ユニット仕様情報記憶部１０及びユニット構成部品情報記憶部１１に記憶させておく。
【００５４】
そして、まず、要求仕様受付部１２は、開発する製品（第１の製品）の製品種の入力を受付ける（Ｓ１０）。ここでは、要求仕様受付部１２は「複合機Ｘ」の入力を受付けたとする。
【００５５】
すると、要求仕様受付部１２は、図７に示すような、複合機Ｘ用のインタフェイスを表示し、当該インタフェイスから要求仕様の入力を受付ける（Ｓ２０）。ここでは、要求仕様受付部１２は、図７に示す状態で決定ボタンのクリックを受付けることで、「カラー対応：モノクロ」、「用紙サイズ：Ａ１〜Ｂ６」、「書込解像度：１２００ｄｐｉ」、「給紙：１０００枚」を、第１の製品の要求仕様として受付けたとする。
【００５６】
すると、ユニット抽出部１３は、ユニット仕様情報記憶部１０が記憶している、複合機Ｘに関連付けられたユニット仕様情報（図２参照）を参照し、Ｓ２０で受付けた要求仕様を関連付けられているユニット、すなわち、要求仕様を満たすユニットのユニット番号を抽出する（Ｓ３０）。ここでは、ユニット抽出部１３は、図２のユニット仕様情報を参照し、インクジェット（モジュール）から、「カラー対応：モノクロ」及び「書込解像度：１２００ｄｐｉ」を関連付けられている「Ｇ１３−３０２４（ユニット番号）」を、給紙トレイ（モジュール）から、「用紙サイズ：Ａ１〜Ｂ６」及び「給紙：１０００枚」を関連付けられている「Ｐ０２−０２２３（ユニット番号）」を、フィニッシャー（モジュール）から、「用紙サイズ：Ａ１〜Ｂ６」を関連付けられている「Ｆ２２−０９４２（ユニット番号）」を抽出したものとする。
【００５７】
その後、構成部品特定部１４は、ユニット構成部品情報記憶部１１に記憶されているユニット構成部品情報（図６参照）の中から、Ｓ３０で抽出されたユニット（ユニット番号）のユニット構成部品情報を検索することで、当該ユニットの構成部品を特定する（Ｓ４０）。
【００５８】
その後、部品情報記憶部１５は、Ｓ４０で特定された構成部品を、第１の製品の構成部品として記憶する（Ｓ５０）。例えば、部品情報記憶部１５は、図８右側に示すようなツリー状の部品情報として、記憶する。
【００５９】
なお、Ｓ３０において、要求仕様を関連付けられているユニットが１つのモジュールにおいて複数存在した場合、ユニット抽出部１３は、Ｓ４０に進む前に、通知部１６を制御して、その旨を設計者に通知してもよい。そして、要求仕様を満たす複数のユニットを設計者に向けて提示するとともに、その中の１つを選択する入力を受付け、選択されたユニットのみを、そのモジュールのユニットとして抽出してもよい。そして、ユニット抽出部１３が各モジュールからただ１つのユニットを抽出した後に、Ｓ４０に進んでもよい。
【００６０】
その他の流れとして、Ｓ３０において、要求仕様を関連付けられているユニットが１つのモジュールにおいて複数存在した場合、ユニット抽出部１３は、複数のユニットすべてを抽出してもよい。そして、上述のように通知処理を行うことなく、Ｓ４０に進んでもよい。かかる場合、構成部品特定部１４は、抽出された複数のユニットすべての構成部品を特定し（Ｓ４０）、部品情報記憶部１５はすべての構成部品を、第１の製品の構成部品として記憶する（Ｓ５０）。そしてＳ５０まで処理を終了した後、ユニット抽出部１３は、通知部１６を制御して、あるモジュールにおいて複数のユニットが抽出されていることを設計者に通知してもよい。
【００６１】
また、Ｓ３０において、要求仕様を関連付けられているユニットがあるモジュールにおいて１つも存在しない場合、ユニット抽出部１３は当該モジュールのユニットを抽出しなくてもよい。そして、そのままＳ４０に進んでもよい。かかる場合、構成部品特定部１４は、抽出されているユニットのみの構成部品を特定し（Ｓ４０）、部品情報記憶部１５は特定された構成部品のみを、第１の製品の構成部品として記憶する（Ｓ５０）。そしてＳ５０まで処理を終了した後、ユニット抽出部１３は、通知部１６を制御して、あるモジュールにおいてユニットが選択されていないことを設計者に通知してもよい。
【００６２】
以上説明した本実施形態の情報管理装置によれば、ある製品を開発する設計者は、予め、ユニット仕様情報（ある製品種に組み込まれるモジュールのバリエーションとして用意されていて、互いに仕様が異なる複数のユニット各々に、各ユニットの仕様を関連付けた情報）、及び、ユニット構成部品情報（複数のユニット各々の構成部品を示す情報）を情報管理装置に記憶するとともに、その製品種の設計の際、開発する製品に要求される仕様（要求仕様）を情報管理装置に入力するだけで、要求仕様を満たす製品の構成部品を把握することができる。また、本実施形態の情報管理装置は、図８右側に示すようなツリー状の部品表（部品情報）を作成して、記憶することができる。
【００６３】
このような本実施形態の情報管理装置によれば、商品の開発段階における設計者の手間を軽減し、効率的な商品開発が実現される。
【００６４】
この出願は、２０１１年１２月２２日に出願された日本特許出願特願２０１１−２８１９４７号を基礎とする優先権を主張し、その開示の全てをここに取り込む。
【図１】
2013094155.tif 000003
【図２】
2013094155.tif 000004
【図３】
2013094155.tif 000005
【図４】
2013094155.tif 000006
【図５】
2013094155.tif 000007
【図６】
2013094155.tif 000008
【図７】
2013094155.tif 000009
【図８】
2013094155.tif 000010
【図９】
2013094155.tif 000011
【国際調査報告】
2013094155.tif 000012
2013094155.tif 000013
2013094155.tif 000014
2013094155.tif 000015